(57)【要約】【課題】指等が針先に触れて傷つけられることがない注射針を提供すること。針の突出寸法が一定となり、皮膚の目的とする深度に薬液を投与できる注射針を提供すること。【解決手段】ハブ２と、ハブ２の先端から突出するようハブ２に取り付けられた針４、針４の周囲を覆う略筒状の保護カバー６と有する注射針である。ハブ２の先端部に筒状の取付部１１が設けられ、取付部１１に先端側が開口する凹部１２が形成されている。凹部１２内を通過するよう針４が配設される。保護カバー６が、取付部１１に取り付けられる基部２１と、基部２１から延設された蛇腹状の伸縮部２２と、伸縮部２２から延設された保護部２３と、を有する。保護部２３は伸縮部２２に比べて厚肉に形成され、針４の先端が保護部２３に位置する。該保護カバー６が圧縮された際に、保護カバー６の伸縮部２２および保護部２３は凹部１２内に収容可能である。【選択図】図１
2014042617.tif 000002
【特許請求の範囲】
【請求項１】
ハブと、該ハブの先端から突出するよう該ハブに取り付けられた針と、該針の周囲を覆う略筒状の保護カバーと、を有する注射針であって、
該ハブの先端部に筒状の取付部が設けられ、該取付部に先端側が開口する凹部が形成され、
該凹部内を通過するよう該針が配設され、
該保護カバーが、該取付部に取り付けられる基部と、該基部から延設された蛇腹状の伸縮部と、該伸縮部から延設された保護部と、を有し、
該保護部は伸縮部に比べて厚肉に形成され、該針の先端が該保護部に位置し、
該保護カバーが圧縮された際に、該保護カバーの伸縮部および保護部は該凹部内に収容可能である注射針。
【請求項２】
前記ハブは、針が通過するハブ本体と、該ハブ本体の基部に設けられた薬液収容部と、該ハブ本体の先端部に設けられた前記取付部と、を有し、
該ハブ本体の基部に、注射器に接続可能なルアーロック用の突起が設けられている請求項１に記載の注射針。
【請求項３】
前記保護カバーの基部は、前記ハブの取付部の外面に取り付けられる第１の基部と、該第１の基部から延設され、該取付部の内面に取り付けられる第２の基部と、を有する請求項１又は２に記載の注射針。
【請求項４】
前記保護カバーの保護部の肉厚が、前記伸縮部の肉厚の、１．５〜３．０倍に形成されている請求項１〜３のいずれかに記載の注射針。
【請求項５】
前記保護カバーの保護部の基部に針先が配置されており、該保護部の基部は保護部の全長に対して０〜２０パーセントである請求項１〜４のいずれかに記載の注射針。
【発明の詳細な説明】
【技術分野】
【０００１】
本発明は、医師や看護士等の作業者が使用済みとなった注射針の先端に付着した患者の血液から感染する事故を未然に防止するための注射針に関する。
【背景技術】
【０００２】
従来の注射針は、使用した後も針先が露呈した状態となっているので、作業者が誤って自身の指を突き刺してしまうことがあり、そのため注射針の先端に付着した患者の血液から肝炎やエイズ等が感染してしまうことがあった。
【０００３】
そこで、このような危険を回避するため、特開平７−１６２９５号公報（特許文献１）および特開平８−１８２７６１号公報（特許文献２）には、針の周囲に蛇腹状の弾性部材を配置した注射針が提案されている。注射針の使用後に、弾性部材が元の形状に復元して針の周囲に配置されるので、使用者の手等を誤って突き刺すことを防止できるとされている。
【０００４】
特に、特許文献１の注射針では、弾性部材の先端部に針先の案内部が設けられ、この針先の案内部によって針の先端に作業者が誤って刺されないようになっている。
【０００５】
しかし、これらの特許文献１および２に記載の注射針では、針を一定寸法だけ皮膚に突き刺して薬液を皮膚の所定深さの箇所に注入できない。つまり、弾性部材の圧縮程度によって針の穿刺深度が変化するという欠点がある。
【０００６】
特開２０００−１６７０５４号公報（特許文献３）には、針の穿刺深度を制限するためのストッパ部材を、針の保持部材に突設した注射針が提案されている。
【０００７】
しかし、この注射針では、針を保護するカバーの先端部が、針が貫通できるよう薄く形成されているので、この保護カバーに指等が触れると、針が保護カバーを貫通して作業者の指等を突き刺すおそれがある。
【０００８】
特に、保護カバーの先端膜を針が貫通して皮膚内へ刺し通すように構成されている場合には、針は保護カバーの先端膜を貫通した勢いで皮膚内へ入るために、針の深度を制御することができず、危険でもある。
【先行技術文献】
【特許文献】
【０００９】
【特許文献１】特開平７−１６２９５号公報
【特許文献２】特開平８−１８２７６１号公報
【特許文献３】特開２０００−１６７０５４号公報
【発明の概要】
【発明が解決しようとする課題】
【００１０】
本発明は上記課題を解決するためになされたもので、針先を保護カバーで確実に保護でき、保護カバーの先端に指等が誤って触れた場合でも、指が針先に触れて傷つけられることがない注射針を提供することを目的とする。
【００１１】
本発明の他の目的は、針の穿刺深度が一定となり、目的とする皮膚の深度に薬液を投与することができる注射針を提供することにある。
【００１２】
本発明のさらに他の目的は、安全に針を皮膚内へ刺通できる注射針を提供することにある。
【課題を解決するための手段】
【００１３】
上記課題を解決するため、本発明は以下を特徴とする。
（項目１）ハブと、該ハブの先端から突出するよう該ハブに取り付けられた針と、該針の周囲を覆う略筒状の保護カバーと、を有する注射針であって、
該ハブの先端部に筒状の取付部が設けられ、該取付部に先端側が開口する凹部が形成され、
該凹部内を通過するよう該針が配設され、
該保護カバーが、該取付部に取り付けられる基部と、該基部から延設された蛇腹状の伸縮部と、該伸縮部から延設された保護部と、を有し、
該保護部は伸縮部に比べて厚肉に形成され、該針の先端が該保護部に位置し、
該保護カバーが圧縮された際に、該保護カバーの伸縮部および保護部は該凹部内に収容可能である注射針。
（項目２）前記ハブは、針が通過するハブ本体と、該ハブ本体の基部に設けられた薬液収容部と、該ハブ本体の先端部に設けられた前記取付部と、を有し、
該ハブ本体の基部に、注射器に接続可能なルアーロック用の突起が設けられている項目１に記載の注射針。
（項目３）前記保護カバーの基部は、前記ハブの取付部の外面に取り付けられる第１の基部と、該第１の基部から延設され、該取付部の内面に取り付けられる第２の基部と、を有する項目１又は２に記載の注射針。
（項目４）前記保護カバーの保護部の肉厚が、前記伸縮部の肉厚の、１．５〜３．０倍に形成されている項目１〜３のいずれかに記載の注射針。
（項目５）前記保護カバーの保護部の基部に針先が配置されており、該保護部の基部は保護部の全長に対して０〜２０パーセントである項目１〜４のいずれかに記載の注射針。
【発明の効果】
【００１４】
本発明によれば、保護カバーが、ハブ先端の取付部に取り付けられる基部と、該基部から延設された蛇腹状の伸縮部と、該伸縮部から延設された保護部と、を有し、該保護部は伸縮部に比べて厚肉に形成され、該針の先端が該保護部に位置しているので、注射針を使用後、注射針を皮膚から引き抜くと、蛇腹の作用によって保護カバーは元の状態へ復帰し、針先の周囲を覆うことになる。そして、肉厚の保護カバーの保護部は針先の周囲に位置するため、針先をこの保護部で確実に保護できる。従って、保護カバーの保護部に指等が誤って触れた場合でも、指が針先に触れて傷つけられることがない。
【００１５】
また、保護カバーが圧縮された際に、該保護カバーの伸縮部および保護部はハブの取付部に設けられた凹部内に収容されるので、注射する際には、取り付け部の先端が皮膚に当たることになり、針の突出寸法が一定となる。よって、皮膚の目的とする深度に薬液を投与することができる。
【００１６】
また、保護カバーは略筒状に形成されており、保護カバー内の通孔を通して針を皮膚内へ刺通できるので、安全に針を進めることができる。
【図面の簡単な説明】
【００１７】
【図１】本発明の一実施形態の注射針の斜視図である。
【図２】図１に示す注射針の断面図である。
【図３】図１に示す注射針の正面図である。
【図４】図１に示すＢ部の拡大断面図である。
【図５】図１に示す注射針の先端側の側面図である。
【図６】図１に示す注射針の作用説明図である。
【発明を実施するための形態】
【００１８】
以下、本発明の実施の形態について、図面を参照しながら詳細に説明する。
【００１９】
図１〜図５に示すように、本発明の注射針Ａは、ハブ２と、該ハブ２の先端から突出するよう該ハブ２に取り付けられた針４と、該針４の周囲を覆う略筒状の保護カバー６と、を有する。
【００２０】
ハブ２は、針４が通過する針孔１８が形成された略筒状のハブ本体１４と、該ハブ本体１４の基部１９に設けられた薬液収容部２０と、該ハブ本体１４の先端部に設けられた筒状の取付部１１と、を有する。
【００２１】
該基部１９は筒状に形成され、その内部には薬液収容部２０が形成されている。該基部１９の後端部に、注射器に接続可能なルアーロック用の突起１７が設けられている
該取付部１１に、先端側が開口する凹部１２が形成されている。
【００２２】
該ハブ本体１４の半径方向の中心位置に針孔１８が形成され、この針孔１８に針４が通され、接着剤にて針４がハブ本体１４に固着されている。この針４は、上記凹部１２内を通過し、取付部１１より前方へ突出している。
【００２３】
保護カバー６は、従来より公知の弾性材料で形成することができ、例えば、シリコーンゴム、ウレタンゴムなどのゴム、エラストマーなどで形成することができる。保護カバー６は、これらの弾性を有する材質から略筒状に形成されている。
【００２４】
保護カバー６は、ハブ２の取付部１１に取り付けられる基部２１と、該基部２１から延設された蛇腹状の伸縮部２２と、該伸縮部２２から延設された保護部２３とを有する。この保護部２３は、該伸縮部２２に比べて厚肉に形成されている。
【００２５】
保護カバー６は、その長さ方向に亘ってバネの作用により伸縮できるように形成されている。保護カバー６に軸方向の圧縮力を加えると、保護カバー６は収縮し、またその圧縮力を解除すると、保護カバー６は元の形状に復元するように構成されている。
【００２６】
図６に示すように、保護カバー６の基部２１は、前記ハブ２の取付部１１の外面に取り付けられる第１の基部３１と、該第１の基部３１から延設され、該取付部１１の内面に取り付けられる第２の基部３２と、を有する。この第２の基部３２からさらに第３の基部３３が延設され、第３の基部３３から上記伸縮部２２が延設されている。
【００２７】
上記保護カバー６の保護部２３の肉厚は、該伸縮部２２の肉厚に比べて厚く設定されている。例えば、保護カバー６の保護部２３の肉厚は、該伸縮部２２の肉厚の、１．５〜３．０倍とすることができる。
【００２８】
保護カバー６に軸方向の圧縮力が作用していない状態（自然状態）では、該針４の先端が該保護部２３の通孔２４内に位置している。保護部２３の長さを２ｍｍとする場合には、針４の先端は保護部２３の基端から０．１〜０．５ｍｍの範囲に位置させるのが好ましい。すなわち、針４の先端から保護部２３の先端までの寸法は、１．５ｍｍ以上、好ましくは１．８ｍｍ以上とするのが好ましい。
【００２９】
保護カバー６が圧縮された際には、針４の先端が保護部２３の通孔２４を通して露出する。その際に、該保護カバー６の伸縮部２２および保護部２３は該凹部１２内へ収容可能とされている。
【００３０】
この針４の取付部１１の先端からの突出寸法は、皮膚へ注入される薬液のための、所定の注射深度（投与の深さ）に設定されている。
【００３１】
以下、本発明の注射針Ａの作用を説明する。
【００３２】
本発明の注射針Ａの基部１９に設けた突起１７を、注射器の先端部にルアーロックによって取り付ける。注射器を操作することにより、薬液は注射針Ａの薬液収容部２０内へ送られる。
【００３３】
図６（Ａ）〜（Ｂ）に示すように、保護カバー６の保護部２３を皮膚Ｓに押し付けると、保護カバー６の伸縮部２２が圧縮され、保護カバー６の保護部２３が注射針Ａのハブ２側へ移動することにより、針先が露出して皮膚Ｓへ刺し込まれる。同時に、保護カバー６の伸縮部２２および保護部２３は凹部１２内に収容される。
【００３４】
ここで、取付部１１の先端が皮膚Ｓ表面に当たるために、針４の皮膚内へ入る寸法が規制される。従って、皮膚組織の目的とする深度の箇所に薬液を投与することができる。
【００３５】
薬液を皮膚組織の所望の位置に投与した後、針４を皮膚Ｓから引き抜くと、図６（Ａ）に示すように、保護カバー６は元の状態に復元して針４の周囲に配置される。保護カバー６の保護部２３は、針先の周囲に位置するために、針先をこの保護部２３で確実に保護できる。従って、保護カバー６の保護部２３に指等が誤って触れた場合でも、指が針先に触れて傷つけられることがない。
【産業上の利用可能性】
【００３６】
本発明は、使用済みの注射針の先端に、医師や看護士等の作業者が誤って突き刺すことを防止した注射針を提供する。
【符号の説明】
【００３７】
Ａ      注射針
２      ハブ
４      針
６      保護カバー
１１    取付部
１２    凹部
１４    ハブ本体
２１    保護カバーの基部
２２    保護カバーの伸縮部
２３    保護カバーの保護部
【図１】
2014042617.tif 000003
【図２】
2014042617.tif 000004
【図３】
2014042617.tif 000005
【図４】
2014042617.tif 000006
【図５】
2014042617.tif 000007
【図６】
2014042617.tif 000008